(57)【特許請求の範囲】
【請求項１】
ほぼＵ字状の凹溝を備えたパイプ等の長尺物を保持する保持部と、該保持部に設けられ、前記凹溝の側壁の上端から凹溝内部に向けて斜めに延び先端で凹溝内にある長尺物に係合して長尺物を凹溝内に保持する長尺物保持用の弾性抜け止め片とを備えたパイプ等の長尺物の保持具において、
前記凹溝は、前記長尺物を収容する間隔を有する一対の側壁で形成されており、
前記弾性抜け止め片は、前記一対の側壁の一方の側壁の上端から前記凹溝の底面に延びて形成されて該凹溝に受入れられた大径の長尺物に先端が係合する寸法の第１の抜け止め片と、前記一対の側壁の他方の側壁の上端から前記凹溝の底面に延びて形成されて凹溝に受入れられた小径の長尺物に先端が係合する寸法の第２の抜け止め片とから成り、
前記凹溝の底面には、大径の長尺物を受入れる固定の第１の受け部と、小径の長尺物を受入れる可動の第２の受け部とが設けられ、
前記第２受け部は、前記一方の側壁に連結されてこの連結部分を中心に旋回するようになっており、且つ、前記他方の側壁に向けて該他方の側壁との間の隙間を小さくする程に該他方の側壁に近接して延びており、
前記第２受け部は、前記凹溝に受入れられた長尺物の底面に係合して該長尺物を少なくとも第２抜け止め片の先端側へ押圧するように付勢する弾性を有しており、
前記他方の側壁には、前記第２受け部の自由端に隣接する位置に、該第２受け部自由端に向けて突出する突出部分が形成されて、該第２受け部自由端と該他方の側壁との間の隙間を、前記第２受け部に受け入れられた小径の長尺物が前記側壁に離接する方向にぐらつくのを防止する小ささにしており、
前記第２受け部の自由端は、凹溝内に長尺物がないとき、前記他方の側壁の前記突出部分より該側壁の上端側に位置するように形成されている、
ことを特徴とする保持具。
【請求項２】
請求項１に記載の保持具において、前記第１受け部は、保持部の凹溝底面に長尺物の長手方向にみて両側に設けられ、前記第２受け部は、両第１受け部の間に設けられていることを特徴とする保持具。
【請求項３】
請求項２に記載の保持具において、前記第２受け部は、凹溝内に長尺物がないとき、前記連結部分を中心に第１受け部の面より上方に旋回する弾性で付勢されており、大径の長尺物が凹溝に受入れられると、前記第１受け部面より更に下がるように旋回可能であることを特徴とする保持具。
【請求項４】
請求項３に記載の保持具において、前記第２受け部の背面には、前記他方の側壁に対して、第２受け部の旋回を滑らかにするガイドリブが形成されていることを特徴とする保持具。
【請求項５】
請求項３に記載の保持具において、前記第２受け部の自由端部に対向する前記他方の側壁の底面側部分には、大径長尺物の受入時の退避を容易にする凹部が形成されていることを特徴とする保持具。
【請求項６】
請求項１〜５のいずれか１項に記載の保持具において、保持部の凹溝の前記一方の側壁に前記第１抜け止め片が形成され、該凹溝の前記他方の側壁に前記第２抜け止め片が対向して形成されており、第２抜け止め片は、第１抜け止め片より長く形成され、該第２抜け止め片は、大径の長尺物が凹溝に受入れられると、側壁面に向けて撓められることを特徴とする保持具。
【請求項７】
請求項６に記載の保持具において、前記第２抜け止め片の上面側には、凹溝に大径の長尺物が入って該第２抜け止め片が側壁面に向けて撓められるときに該大径長尺物に係合する抜け止めリブが形成されていることを特徴とする保持具。
【請求項８】
請求項１〜７のいずれか１項に記載の保持具において、保持部に一体成形されたパネル取付部を有し、長尺物をパネルに取付けるように構成されていることを特徴とする保持具。
【請求項９】
請求項８に記載の保持具において、パネルにはスタッドが立設されており、前記パネル取付部は、前記スタッドに係止する形状に形成されていることを特徴とする保持具。
【請求項１０】
請求項８に記載の保持具において、パネル取付部は、ボルト及びナットによって、パネルに固定される形状に形成されていることを特徴とする保持具。
【請求項１１】
請求項１〜７のいずれか１項に記載の保持具において、前記保持部には複数の凹溝が並べて形成され、複数の長尺物を所定の間隔で並列に保持することを特徴とする保持具。
【発明の詳細な説明】
【０００１】
【産業上の利用分野】
本発明は、たとえば自動車の燃料パイプやブレーキパイプ、ホース或いはワイヤハーネスのような長尺物をパネルに保持するための長尺物保持具に関する。特に本発明は、異なる直径の長尺物を適宜に支障なく保持し、大径の長尺物は勿論のこと、小径の長尺物であってもがたつきなく保持することができる長尺物保持具に関する。
【０００２】
【従来技術】
自動車において、この種の長尺物をパネルに保持するための保持具は、たとえば特開平７−３１０８６４号公報に記載されている。この公報に記載の長尺物保持具は、一種類の抜け止め片によって、異なる直径の複数の長尺物を支障なく保持することを可能にしている。
【０００３】
【発明が解決しようとする課題】
上記の特開平７−３１０８６４号公報に記載の長尺物保持具は、異なる直径の長尺物について使用できるので便利であるが、小径の長尺物の保持において、保持したパイプ等の長尺物が多少ぐらつくのが観察された。
従って、本発明は、異なる直径の長尺物を保持できる利点を保ちながら、大径の長尺物も小径の長尺物もぐらつきなく保持する長尺物保持具を提供することにある。
【０００４】
【課題を解決するための手段】
上記課題を解決するため、本発明は、ほぼＵ字状の凹溝を備えたパイプ等の長尺物を保持する保持部と、該保持部に設けられ、前記凹溝の側壁の上端から凹溝内部に向けて斜めに延び先端で凹溝内にある長尺物に係合して長尺物を凹溝内に保持する長尺物保持用の弾性抜け止め片とを備えたパイプ等の長尺物の保持具であって、前記凹溝は、前記長尺物を収容する間隔を有する一対の側壁で形成されており、前記弾性抜け止め片は、前記一対の側壁の一方の側壁の上端から前記凹溝の底面に延びて形成されて該凹溝に受入れられた大径の長尺物に先端が係合する寸法の第１の抜け止め片と、前記一対の側壁の他方の側壁の上端から前記凹溝の底面に延びて形成されて凹溝に受入れられた小径の長尺物に先端が係合する寸法の第２の抜け止め片とから成り、前記凹溝の底面には、大径の長尺物を受入れる固定の第１の受け部と、小径の長尺物を受入れる可動の第２の受け部とが設けられ、前記第２受け部は、前記一方の側壁に連結されてこの連結部分を中心に旋回するようになっており、且つ、前記他方の側壁に向けて該他方の側壁との間の隙間を小さくする程に該他方の側壁に近接して延びており、前記第２受け部は、前記凹溝に受入れられた長尺物の底面に係合して該長尺物を少なくとも第２抜け止め片の先端側へ押圧するように付勢する弾性を有しており、前記他方の側壁には、前記第２受け部の自由端に隣接する位置に、該第２受け部自由端に向けて突出する突出部分が形成されて、該第２受け部自由端と該他方の側壁との間の隙間を、前記第２受け部に受け入れられた小径の長尺物が前記側壁に離接する方向にぐらつくのを防止する小ささにしており、前記第２受け部の自由端は、凹溝内に長尺物がないとき、前記他方の側壁の前記突出部分より該側壁の上端側に位置するように形成されている、ことを特徴とする保持具を提供する。
【０００５】
本発明の好ましい態様においては、第１受け部は、保持部の凹溝底面に長尺物の長手方向にみて両側に設けられ、第２受け部は、両第１受け部の間に設けられている。また、第２受け部は、凹溝内に長尺物がないとき、連結部分を中心に第１受け部の面より上方に旋回する弾性で付勢されており、大径の長尺物が凹溝に受入れられると、第１受け部面より更に下がるように旋回可能にできる。更に、第２受け部の背面には、前記他方の側壁に対して、第２受け部の旋回を滑らかにするガイドリブが形成され得る。また、第２受け部の自由端部に対向する前記他方の側壁の底面側部分には、大径長尺物の受入時の退避を容易にする凹部が形成されてもよい。
【０００６】
本発明の更に好ましい態様においては、保持部の凹溝の一方の側壁に第１抜け止め片が形成され、該凹溝の他方の側壁に第２抜け止め片が対向して形成されており、第２抜け止め片は、第１抜け止め片より長く形成され、該第２抜け止め片は、大径の長尺物が凹溝に受入れられると、側壁面に向けて撓められる。また、第２抜け止め片の上面側には、凹溝に大径の長尺物が入って該第２抜け止め片が側壁面に向けて撓められるときに該大径長尺物に係合する抜け止めリブが形成されて得る。なお、保持部に一体成形されたパネル取付部を有し、長尺物をパネルに取付けるように構成できる。この場合、パネルにはスタッドが立設され、パネル取付部は、スタッドに係止する形状に形成されてもよい。また、パネル取付部は、ボルト及びナットによって、パネルに固定される形状に形成されてもよい。更に、保持部には複数の凹溝が並べて形成され、複数の長尺物を所定の間隔で並列に保持することもできる。
【０００７】
【作用】
本発明においては、大径の長尺物が保持部の凹溝に挿入されると固定の第１受け部に長尺物の底面側が当接し、第１の抜け止め片の先端が長尺物の上面側に係合して長尺物を上下方向に固定し、また、長尺物の挿入のとき、第２抜け止め片が長尺物の側面によって撓められてその側面を押圧するように作用して、左右方向にも固定して、大径の長尺物のぐらつきを防止する。また、小径の長尺物が保持部の凹溝に挿入されると可動の第２受け部に長尺物の底面側が当接するとともに、第２受け部は長尺物を少なくとも第２抜け止め片の先端側へ押圧するように付勢する弾性を有しているので、第２の抜け止め片の先端が確実に長尺物の上面側に係合して長尺物を上下方向に固定し、また、第２受け部と該第２受け部の自由端部とそれに対向する凹溝の側壁との間の隙間は小さいので、左右方向にもぐらつきがなくなり、小径長尺物のぐらつきも防止する。従って、異なる直径の長尺物を保持できる利点を保ちながら、大径の長尺物も小径の長尺物もぐらつきなく保持することができる。
【０００８】
【発明の実施の形態】
以下、本発明の実施例について図面を参照して説明する。図１〜３において、本発明に係るパイプ等の長尺物の保持具１は、プラスチック材料により一体に成形される。図１は保持具１の平面図、図２は保持具１の正面図、図３は保持具１の底面図である。また、図４は図１のＡ−Ａ線断面図、図５は図２のＢ−Ｂ線断面図である。この実施例に係る保持具１は、パネルにパイプ等の長尺物を取付ける機能を有し、パネルへの取付部２と、長尺物の保持部３とを有する。パネルへの取付部２は、パネルに溶接等により固定されたねじスタッドを受入れて該スタッドに係止する。取付部２は、長方形ブロックの形状で、パネルに面する側から反対側の面まで貫通してスタッドを挿入するための矩形断面の開口５を有する。開口５の中には、開口５の相対向する側に、互いに対をなしてスタッドのねじ溝に両側から係合するための２対の係止爪６、７が形成されている。なお、これらの係止爪６、７は、図１及び図３に明らかなように、長尺物の長手方向に延びる板状体で形成されており、また、開口５も長尺物の長手方向に延びる矩形の断面を持つように形成され、パネル上のスタッドの取付ピッチの誤差に対応できるようになっている。更に、開口５の下部には、保持具１がスタッドに完全に取付けられたときスタッドの先端によって起こされる１対の片９が設けられ、スタッドへの取付けが完全かどうかを知ることができるようになっている。
【０００９】
取付部５の両側に、燃料パイプやブレーキパイプ、ワイヤハーネス等の長尺物を保持するための保持部３が設けられている。各保持部３は、上面から下方にほぼＵ字状に形成された凹溝１０、１１を有する。図示の例では、凹溝は、各保持部３に２個ずつ形成されているが、その数は１個でも、複数でも、任意でよい。各凹溝１０（又は１１）は、間隔をもって配置された一対の側壁１３、１４（又は側壁１４、１５）によって形成される。側壁１３、１４、１５の各々の上端には、凹溝１０、１１の各々の内側に向けて斜めに延びる第１の抜け止め片１７と第２の抜け止め片１８とから成る一対の抜け止め片が形成されている。一対の抜け止め片の内の第１の抜け止め片１７は、大径の長尺物１９（図２に想像線で示す）を保持するものであり、大径の長尺物１９に合わせて短く形成されている。また、第２抜け止め片１８は、小径の長尺物２１（図２に想像線で示す）を保持するものであり、小径の長尺物１９に合わせて長く形成されている。これらの抜け止め片は、長尺物１９（又は２１）が凹溝１０等に挿入されるとき、側壁１３等に沿うように撓み挿入完了後には元の位置に復帰する弾性を有し、その先端が挿入された長尺物に係合して、長尺物の抜け止めを果たす。第１抜け止め片１７は、保持部３の凹溝１０（又は１１）の一方の側壁１４（又は１５）の上端から凹溝の内側に向けて延びるように形成されている。第２抜け止め片１８は、凹溝１０（又は１１）の他方の側壁１３（又は１４）の上端から凹溝の内側に向けて延びるように形成されている。第２抜け止め片１８は、第１抜け止め片１７より長く形成されて、大径の長尺物が凹溝に受入れられると、側壁面に向けて撓められる。
【００１０】
凹溝１０、１１の各々の底面には、大径の長尺物１９を受入れる固定の第１の受け部２２と、小径の長尺物２１を受入れる可動の第２の受け部２３とが設けられている。第１受け部２２は、図１、図３及び図４に示されるように、保持部３の凹溝１０、１１の底面に長尺物の長手方向にみて端部となる両側に設けられている。第１受け部２２の形状は、保持する長尺物の断面形状に合わせて形成されて長尺物の底面を確実に保持するようになっている。例えば、図示のように、円形断面の長尺物を受ける場合には円弧を成すように形成される。
【００１１】
可動の第２受け部２３は、各凹溝１０（又は１１）において、２つの第１受け部２２の間に設けられている。第２受け部２３は、凹溝１０（又は１１）の一方の側壁１４（又は１５）の底面側部分２５に連結されて、連結部分２５を中心に旋回するようになっている。第２受け部２３は、他方の側壁１３（又は１４）に向けて他方の側壁１３（又は１４）との間の隙間を小さくする程に延びている。第２受け部２３は、更に、凹溝に受入れられた長尺物の底面に係合して該長尺物を少なくとも第２抜け止め片１８の先端側へ押圧するように付勢する弾性を有するのが望ましい。そのため、第２受け部２３は、凹溝内に長尺物がないとき、連結部分２５を中心に第１受け部２２の上面より上方に旋回する弾性で付勢されている（図４参照）。第２受け部２３は、大径の長尺物が凹溝に受入れられると、第１受け部２２の上面より更に下がるように旋回可能に形成されている。かかる旋回を、他方の側壁１３（又は１４）に対して滑らかにする（すなわち引っ掛かりを解除する）ために、図３及び図４に図示のように、第２受け部２３の背面には、ガイドリブ２６が形成されている。更に、第２受け部２３の形状も、保持する長尺物の断面形状に合わせて形成されて長尺物の底面を確実に保持するように形成されている。例えば、円形断面の長尺物の場合には円弧を成すように形成される。
【００１２】
なお、第２受け部２３の自由端と他方の側壁１３（又は１４）との間の隙間はできるだけ小さく形成されるのが望ましい。そのため、図４に図示のように、側壁１４に突出部分２７を形成し、第２受け部２３の自由端２９を、その突出部分２７よりやや上側に位置するように形成する。このように形成することによって側壁１４と第２受け部２３とは完全に分離しつつ、側壁１４の突出部分２７と第２受け部２３の自由端２９との間の隙間を小径の長尺物２１が挿入された状態で極めて小さくできる。
【００１３】
かかる構成で成る長尺物の保持具１を用いて、長尺物をパネルに取付ける作業を図６及び図７に示す。図６において、保持具１には、複数のパイプ等の長尺物３０が、保持部３の凹溝１０、１１に挿入されて保持される。保持具１は、これらの長尺物３０は、その長手方向に所定間隔をもって、複数個、取付けられる。次に、複数の保持具１が取付けられた長尺物３０が、例えば、自動車の艤装ラインに搬入されて、車体等のパネル３１に溶接等によって立設されたねじスタッド３３に対して、取付部２を、その開口にねじスタッド３３を受入れるように、押し込む。この押し込みによって、保持具１の係止爪６、７がねじスタッド３３に係止して保持具１がパネル３１に取付けられるので、長尺物３０がパネル３１に取付けられる。
【００１４】
長尺物は種々の外径を有する。保持具１は、これら種々の外径の長尺物をぐらつきなく保持する。図８は、小径の長尺物２１を保持した様子を示す、図４と同様の図である。小径の長尺物２１を凹溝１１に押し込みつつ挿入すると、第１抜け止め片１７及び第２抜け止め片１８が、各側壁１５及び１４の側に撓んで、長尺物２１が凹溝１１へ受入れられる。また、この押し込みによって、第２受け部２３も連結部分２５を中心にして下方へ旋回するが、第１受け部２２に長尺物が当接して旋回が停止し、第２受け部２３の自由端２９と側壁１４の突出部分２７との間の隙間が極めて小さい状態となり、長尺物２１を第２抜け止め片１８の先端側へ押圧するように付勢するとともに、第２受け部２３は長尺物２１の底面を受入れて保持する。従って、小径の長尺物２１が凹溝１１に挿入されると可動の第２受け部２３に長尺物の底面側が当接するとともに、第２抜け止め片１８の先端が確実に長尺物の上面側に係合して、長尺物２１を上下方向すなわち図８のＹ方向に固定する。また、第２受け部２３の自由端２９と、対向する側壁１４の突出部分２７との間の隙間３４は極めて小さいので、左右方向すなわち図８のＸ方向にもぐらつきがなくなる。このようにして、小径の長尺物２１のぐらつきを防止している。
【００１５】
図９は、大径の長尺物１９を保持した様子を示す、図４と同様の図である。大径の長尺物１９を凹溝１１に押し込みつつ挿入すると、第１抜け止め片１７及び第２抜け止め片１８が、各側壁１５及び１４の側に撓んで、長尺物２１が凹溝１１へ受入れられる。この押し込みによって、第２受け部２３も連結部分２５を中心にして下方へ旋回する。この下方への押し込みすなわち大径長尺物１９の受入時の退避を容易にするように、第２受け部２３の自由端２９に対向する側壁１４の底面側部分には、図９の斜線で示す区域に、逃げ用の凹部４１が形成されてもよい。押し込みは、大径長尺物１９の底面が、固定の第１受け部２２の上面に当接するまで続けられる。大径長尺物１９の底面側が第１受け部２２に当接すると、側壁１５の側に撓んでいた第１抜け止め片１７が元の位置に復帰して、第１抜け止め片１７の先端が長尺物の上面側に弾性をもって係合する。従って、大径長尺物１９は、上下方向すなわち図９のＹ方向には移動しないように保持される。また、大径長尺物１９の挿入のとき、第２抜け止め片１８は長尺物の側面によって撓められており、この撓みは押し込み力を解除しても大径長尺物１９によってそのまま維持されるので、撓められた第２抜け止め片１８は長尺物の側面を押圧するように作用す。従って、大径長尺物１９は、左右方向すなわち図９のＸ方向にも移動しないように保持され、これによって、大径の長尺物のぐらつきも防止する。なお、第２抜け止め片１８の上面側には、凹溝１１に大径長尺物１９が入って第２抜け止め片１８が側壁１４面に向けて撓められるとき、大径長尺物に係合する抜け止めリブ４２が形成されていてもよい。
【００１６】
図１０及び図１１は、本発明の長尺物保持具の変形例を示している。図１０の保持具３５は、保持部しかなく、パネルへの取付部を有しない。この保持具３５は、宙に浮いた状態にあるパイプ等の複数の長尺物を、所定の間隔で並列に保持するのに用いることができる。また、図１１の保持具３７は、保持部３に隣接した取付部３８が、ボルト及びナットによって、パネルに固定できる形状に形成されており、ボルト貫通穴３９が取付部３８に形成されている。
【００１７】
【発明の効果】
以上述べたように、本発明の長尺物保持具は、大径の長尺物が保持部の凹溝に挿入されると固定の第１受け部に長尺物の底面側が当接し、第１の抜け止め片の先端が長尺物の上面側に係合して長尺物を上下方向に固定し、また、長尺物の挿入のとき、第２抜け止め片が長尺物の側面によって撓められてその側面を押圧するように作用して、左右方向にも固定して、大径の長尺物のぐらつきを防止しており、小径の長尺物が保持部の凹溝に挿入されると可動の第２受け部に長尺物の底面側が当接するとともに、第２の抜け止め片の先端が確実に長尺物の上面側に係合して長尺物を上下方向に固定し、第２受け部と該第２受け部の自由端部とそれに対向する凹溝の側壁との間の隙間は極めて小さいので、左右方向にもぐらつきがなくなり、小径長尺物のぐらつきも防止している。従って、異なる直径の長尺物を保持できる利点を保ちながら、大径の長尺物も小径の長尺物もぐらつきなく保持することができる。
【図面の簡単な説明】
【図１】本発明の一実施例に係る長尺物保持具の平面図である。
【図２】図１に示す保持具の正面図である。
【図３】図１に示す保持具の底面図である。
【図４】図１のＡ−Ａ線における断面図である。
【図５】図２のＢ−Ｂ線における断面図である。
【図６】図１の保持具に長尺物を取付ける様子を示す正面図である。
【図７】図６の保持具を用いてパネルに長尺物を取付ける様子を示す正面図である。
【図８】図１の保持具に小径の長尺物を取付ける様子を示す、図４と同様の断面図である。
【図９】図１の保持具に大径の長尺物を取付ける様子を示す、図４と同様の断面図である。
【図１０】本発明の第２の実施例に係る保持具の正面図である。
【図１１】本発明の第３の実施例に係る保持具の正面図である。
【符号の説明】
１  保持具
２  パネルへの取付部
３  長尺物の保持部
５  開口
６、７  係止爪
１０、１１  凹溝
１３〜１５  側壁
１７  第１抜け止め片
１８  第２抜け止め片
１９  大径長尺物
２１  小径長尺物
２２  第１受け部
２３  第２受け部
２５  第２受け部の連結部分
２６  ガイドリブ
２７  突出部分
２９  第２受け部の自由端
３１  パネル
３３  ねじスタッド
３４  側壁の突出部分と第２受け部の自由端との間の隙間
３５、３７  保持具
３８  取付部
４１  退避用凹部
【図１】
0004132168.tif 000002
【図２】
0004132168.tif 000003
【図３】
0004132168.tif 000004
【図４】
0004132168.tif 000005
【図５】
0004132168.tif 000006
【図６】
0004132168.tif 000007
【図７】
0004132168.tif 000008
【図８】
0004132168.tif 000009
【図９】
0004132168.tif 000010
【図１０】
0004132168.tif 000011
【図１１】
0004132168.tif 000012